(57)【特許請求の範囲】
【請求項１】
ウェブの両端部にフランジを有する形鋼からなる一対の梁が山形に接合され、これがウェブの両端部にフランジを有する形鋼からなる一対の柱の上端部に接合されて門形に形成され、前記柱と前記梁とが方杖で結合され、前記山形に形成された梁と梁とがタイバーで結合されて単位フレームが形成され、この単位フレームが桁方向に複数個並設され、これらの単位フレームがつなぎ材およびブレースで結合されていることを特徴とする仮設上屋。
【請求項２】
前記方杖は、軒部近傍において前記柱と前記梁とに結合され、前記タイバーは、棟部側において前記梁と梁とに結合されていることを特徴とする請求項１に記載の仮設上屋。
【請求項３】
前記単位フレームの間隔は、屋根・壁用シートの幅と同程度に設定され、前記柱および前記梁の屋外側のフランジ外面にシートガイドが取り付けられ、該シートガイドを介して前記屋根・壁用シートが直接前記単位フレーム間に張設されていることを特徴とする請求項１または請求項２に記載の仮設上屋。
【請求項４】
前記柱と前記梁および前記梁同士は、ウェブ同士がスプライスプレートを介してボルト接合され、方杖およびタイバーの各端部は、前記柱および前記梁のフランジとボルト接合されていることを特徴とする請求項１乃至製３の何れかに記載の仮設上屋。
【請求項５】
前記つなぎ材は、一対の小径の鋼管が中央で交差されピン結合されて構成され、前記柱および前記梁に接合部材を介してボルト接合されていることを特徴とする請求項１乃至請求項４の何れかに記載の仮設上屋。
【請求項６】
前記ブレース材は、一対の小径の鋼管が中央で交差されピン結合されて構成され、前記柱および前記梁に直接ボルト接合されていることを特徴とする請求項１乃至請求項５の何れかに記載の仮設上屋。
【請求項７】
前記柱および前記梁には切断と穴加工のみが行われ、前記柱および前記梁に接合される部材はボルト接合されていることを特徴とする請求項１乃至請求項６の何れかに記載の仮設上屋。
【請求項８】
前記柱および前記梁は、高強度軽量Ｈ形鋼からなることを特徴とする請求項１乃至請求項７の何れかに記載の仮設上屋。
【発明の詳細な説明】
【０００１】
【発明の属する技術分野】
本発明は、工事現場や堆肥場等に雨がかからないように設置するか、あるいは簡易倉庫やイベント会場等として使用するために設置する仮設上屋に関する。
【０００２】
【従来の技術】
近年、水質汚染を防ぐために、堆肥場に雨がかからないようにするために簡単な上屋が必要とされるようになってきている。また、工事現場において、気象条件に影響されずに施工できるように、仮設の屋根で現場を覆うことが求められている。また、仮設の倉庫やイベント会場などの用途に使うことができる簡易で安価な上屋が要望されている。
【０００３】
【発明が解決しようとする課題】
このような要求に答えるために、次のような提案や製品があるが、それぞれいくつかの問題点がある。
すなわち、特開平９−２３５７８１号公報には、Ｉ形鋼の両端に通孔付き端板を固着して支柱、梁、縦桟等を形成し、これらの側面の適当個所に通孔付き座板を固着し、またＩ形鋼のフランジに通孔を穿ち、端板、座板、フランジの通孔にボルトを挿通して締め付け固定し、前後の支柱をターンバックル付きの筋交いにより連結し、前後の梁上に波型板からなる数個の屋根盤を並架して成る組立式仮設建築物が開示されている。
この組立式仮設建築物においては、屋根盤が波型板からなるため荷重が大きく設計上不利である。また、大スパンになると梁のサイズを大きくする必要があり不経済である。また、柱や梁の製作に溶接をする必要があるため、加工費が高くなるとともに、加工後のどぶ漬けメッキの費用が高くつく。
【０００４】
また、特開平９−４１６７４号公報には、端板を固着したＩ形鋼からなる両側の主杆の間に横桟を掛け渡し、横桟上に波形板等の屋根板を張設し、主杆の先端部下方に座片を設けて前後の屋根片を形成し、主杆の端板同士をボルト接合するとともに、上面が山形をなすＴ形中央支持体を両側の主杆の接合部下方に固定し、このＴ形中央支持体の下部と屋根片の座片とをワイヤーにより連結してなる仮設建築物の組立屋根盤が開示されている。
この組立屋根盤においては、枠組み足場に載せるためトラワイヤが必要であり、敷地に余裕がない場合に不利である。また、タイバー（ワイヤー）が軒の高さにあるため、使用できる上部空間が制限される。また、屋根片を形成するために溶接する必要があるため、加工費が高くなるとともに、どぶ漬けメッキの費用が高くつく。
【０００５】
また、特開平５−１９５６３３号公報には、桁行き方向に沿って所定個数配置した中空アルミ合金製長尺型材からなる山形の屋根材と、該屋根材に一体に接合された中空アルミ合金製長尺型材からなる支柱と、屋根材間に張設された屋根シートからなり、屋根材に開口されたガイド溝に屋根シートの両耳部に設けた抜け止め材が摺動可能に挿通され、かつ屋根シートが屋根材間において移動可能に張設され、また支柱の下部には作業空間の両側に設けたレールを案内させて移動するローラ付き走行部材が取り付けられている仮設屋根が開示されている。
この仮設屋根においては、屋根材や支柱がアルミ合金製であるため、材料費が高い。また、タイバーが軒部間に取り付けられているので、その上の上部空間が使用できない。また、柱が中空アルミ合金製長尺型材からなるので、強度が低く、軒高をあまり高くすることができない。
【０００６】
また、テント倉庫やあるいは一般鉄骨倉庫が提供されている。
しかし、前者は鋼管ラチス構造のため、材料費と加工費が高い。後者は、重量鉄骨構造のため、施工が大掛かりになり、また使用材料および溶接加工が多いため、費用が高くなり、さらにつなぎ材や母屋等の二次的な部材の数が多いため、施工が複雑になる。
【０００７】
本発明は、上記事情に鑑みて為されたもので、製作コストが安価でかつ容易に施工することができるとともに、内部空間を広くすることができる仮設上屋を提供することを目的とする。
【０００８】
【課題を解決するための手段】
上記目的を達成するために、請求項１に記載の仮設上屋は、ウェブの両端部にフランジを有する形鋼からなる一対の梁が山形に接合され、これがウェブの両端部にフランジを有する形鋼からなる一対の柱の上端部に接合されて門形に形成され、前記柱と前記梁とが方杖で結合され、前記山形に形成された梁と梁とがタイバーで結合されて単位フレームが形成され、この単位フレームが桁方向に複数個並設され、これらの単位フレームがつなぎ材およびブレースで結合されていることを特徴とする。
【０００９】
請求項１の発明においては、単位フレームを形鋼で形成し、これを並設してつなぎ材およびブレースで繋げることにより組み立てることができるので、施工が容易であるとともに、安価に製作することができる。また、内部空間には、柱と梁とを結ぶ方杖と、梁と梁とを結ぶタイバーとが配設されるので、従来のように軒と軒の位置を結ぶタイバー等によって軒から上の上部空間の使用が制限されるということがなくて、内部空間を広く使用することができる。
ここで、「ウェブの両端部にフランジを有する形鋼」には、例えば、Ｈ形鋼、Ｉ形鋼、溝形鋼等が含まれる。
【００１０】
請求項２に記載の仮設上屋は、請求項１の発明において、前記方杖は、軒部近傍において前記柱と前記梁とに結合され、前記タイバーは、棟部側において前記梁と梁とに結合されていることを特徴とする。
請求項２の発明においては、構造上の強度を維持しつつ内部空間を広く使用することができる。
ここで、タイバーは、構造的効果その他を勘案すると、梁と梁とに棟部側の中間部において（棟と軒との間の長さにおいて、棟から１／４〜３／４程度の位置に）取り付けるのが好ましい。
【００１１】
請求項３に記載の仮設上屋は、請求項１または請求項２の発明において、前記単位フレームの間隔は、屋根・壁用シートの幅と同程度に設定され、前記柱および前記梁の屋外側のフランジ外面にシートガイドが取り付けられ、該シートガイドを介して前記屋根・壁用シートが直接前記単位フレーム間に張設されていることを特徴とする。
【００１２】
請求項３の発明においては、単位フレーム間の間隔が張設される屋根・壁シートの幅に合わせて狭く設定されているので、屋根・壁シートを直接柱および梁にシートガイドを介して取り付けることができるため、母屋・胴縁等の部材が不要であるとともに、１単位フレーム当たりの荷重を小さくすることができ、また柱および梁のつなぎ材に枠組み足場用ブレース等を用いることができる。また、シートを柱（梁）の屋外側のフランジ外面に取り付けられたシートガイドに取り付けて行くことにより、屋根と壁を完成することができるので、施工が容易である。
【００１３】
請求項４に記載の仮設上屋は、請求項１乃至請求項３の何れかの発明において、前記柱と前記梁および前記梁同士は、ウェブ同士がスプライスプレートを介してボルト接合され、方杖およびタイバーの各端部は、前記柱および前記梁のフランジとボルト接合されていることを特徴とする。
請求項４の発明においては、溶接をする必要がなく、ボルト接合により組み立てできるので、施工が容易であるとともに、安価に製作することができる。
【００１４】
請求項５に記載の仮設上屋は、請求項１乃至請求項４の何れかの発明において、前記つなぎ材は、一対の小径の鋼管が中央で交差されピン結合されて構成され、前記柱および前記梁に接合部材を介してボルト接合されていることを特徴とする。
請求項６に記載の仮設上屋は、請求項１乃至請求項５の何れかの発明において、前記ブレース材は、一対の小径の鋼管が中央で交差されピン結合されて構成され、前記柱および前記梁に直接ボルト接合されていることを特徴とする。
【００１５】
請求項５および請求項６の発明においては、軽量のため一人で簡単に持ち運びができ、施工が簡単である。また、ターンバックル付き丸鋼ブレースのように長さを現場で調整する必要がなく、つなぎ材およびブレースをボルト接合するだけで上屋を組み立てていくことができる。さらに、各フレームの間の間隔をシートの幅に合わせて設定すれば、枠組み足場に使用されている規格品のブレースをそのまま流用することができ、コストを低減することができる。
【００１６】
請求項７に記載の仮設上屋は、請求項１乃至請求項６の何れかの発明において、前記柱および前記梁には切断および穴加工のみが行われ、前記柱および前記梁に接合される部材はボルト接合されていることを特徴とする。
請求項７の発明においては、柱および梁が切断と穴加工のみで行われ、溶接加工が施されないので、製造コストを低減することができる。また、溶接加工がないので、プレメッキ形鋼を使用しても補修塗装の必要がないため、ドブ漬けメッキを必要とする溶接構造と比べて、メッキ費用を削減することができる。
【００１７】
請求項８に記載の仮設上屋は、請求項１乃至請求項７の何れかの発明において、前記柱および前記梁は、高強度軽量Ｈ形鋼からなることを特徴とする。
請求項８の発明においては、同じ重量では圧延Ｈ形鋼に比べて断面係数が大きいので、全体の鋼材重量が小さくなるため、材料費を低減でき、また柱および梁の重量が軽くなるため、施工の能率が向上する。
【００１８】
【発明の実施の形態】
以下、本発明の実施の形態を図面を参照して説明する。
図１は、本実施の形態に係る仮設上屋の全体構成を示す斜視図である。この仮設上屋は、門形の単位フレームＦが複数個等間隔に並設され、これらがつなぎ材およびブレースで繋がれて構成されている。各フレームＦの間の間隔は、屋根に張設されるシートの幅に合わせて、２ｍ程度に設定されている。これにより、枠組み足場に使用されている規格品のブレースをそのまま流用できる。
【００１９】
図２は、単位フレームを示す正面図である。単位フレームＦは、両側の柱１、山形に組み合わされた梁２，２、方杖３，３およびタイバー４を備えており、柱１および梁２は、Ｈ形鋼からなる。柱１および梁２は、この他に溶接軽量Ｈ形鋼や、軽量溝形鋼を背中合わせに固定したものを使用することができるが、後者のものよりＨ形鋼や溶接Ｈ形鋼の方が断面性能上は優れている。また、柱１および梁２に高強度軽量Ｈ形鋼を使用すると、同じ重量では圧延Ｈ形鋼に比べて断面係数が大きいので、全体の鋼材重量が小さくなるため、材料費を低減できるとともに、部材の重量が軽いため、施工の能率が良くなる。材料としては、例えば、ＪＩＳ  Ｇ３１０６に規定されているＳＭ４９０Ａ相当以上のものを使用すると良い。
【００２０】
上述したように、単位フレームＦ間の間隔は張設される屋根・壁シートの幅に合わせて狭く設定されているので、屋根・壁シートを直接柱１および梁２に取り付けることができるため、母屋・胴縁等の部材が不要であるとともに、１単位フレーム当たりの荷重を小さくすることができ、さらに柱１および梁２のつなぎ材に軽微な部材（例えば、枠組み足場用ブレース等）を用いることができる。
方杖３およびタイバー４は、リップ付き軽量溝形鋼を背中合わせに固定したものである。タイバー４は梁２の棟部側の中間部に取り付けられており、これにより、図中、破線で示す高さまで有効に使用することができる。
【００２１】
図３は、仮設上屋の側面図である。各単位フレームＦ間は、柱つなぎ材５Ａで繋がれ、桁ブレース６が設置される。桁ブレース６は柱１の屋内側フランジに取り付けられる。柱１は、コンクリート基礎の上に設置しても良いが、Ｈ形鋼からなる土台１１の上に載せた方が精度を出し易いので好ましい。
【００２２】
図４は、仮設上屋の平面図（屋根伏図）である。屋根面は、軒つなぎ材５Ｂ、屋根つなぎ材５Ｃおよび棟つなぎ材５Ｄで繋がれ、屋根ブレース７が設置される。屋根ブレース７は、梁２の屋内側フランジに取り付けられる。屋根ブレース７は、軒部およびけらば部（妻面に隣接する部分）には風圧力に対抗するために連続的に配置されるが、その他の部分には適宜省略して配置することができる。
【００２３】
図５は、軒部および方杖接合部の詳細図である。柱１と梁２とはそれぞれ、Ｈ形鋼の端部が斜めに切断され、これらのウェブ端部同士がＴ字状のスプライスプレート８によって両側から挟み込まれ、高力ボルトにより接合されている。スプライスプレート８の中央突出部８ａには、軒つなぎ材５Ｂが接合される。
屋根ブレース７の力を桁ブレース６に伝達するために、柱１と梁２の屋内側フランジ同士をく字状の接合部材１２を介して高力ボルトで接合することが望ましい。ただし、この柱・梁接合部では曲げモーメントを伝達する必要がないので、屋外側フランジの連結は必要がない。
【００２４】
方杖３は、リップ付き軽量溝形鋼を２本背中合わせに組合せ、綴り材１３により一体的に固定されたものである。構造計算上圧縮力が作用するため、座屈に対する抵抗力が強められている。この方杖３の両端部はそれぞれ、柱１の軒部近傍のフランジおよび梁２の軒部近傍のフランジにＴ字状の接合部材１４，１４Ａを介して高力ボルトで接合される。すなわち、接合部材１４，１４Ａの突出部が背中合わせのリップ付き軽量溝形鋼の間に挿入されてボルト接合されるとともに、接合部材１４，１４Ａのフランジ部が柱１、梁２のフランジにボルト接合される。方杖３が取り付く柱１および梁２のフランジの内側には、それぞれ補強のためにＬ形の補強部材１５がボルトにより取り付けられる。
【００２５】
図６は、棟部の詳細図である。梁２，２はそれぞれ、Ｈ形鋼の端部が斜めに切断され、これらのウェブ端部同士がＴ字状のスプライスプレート９によって両側から挟み込まれ、高力ボルトにより接合されている。スプライスプレート９の中央突出部９ａには、軒つなぎ材５Ｄが接合される。
【００２６】
図７は、タイバー接合部の詳細図である。タイバー４は、リップ付き軽量溝形鋼を２本背中合わせに組合せ、綴り材１６により一体的に固定されたものである。構造計算上タイバー４には引張力しか働かないので座屈の心配はないが、組立時にはある程度の圧縮力が作用し、またタイバー４にワイヤーや鋼棒などを用いるとこれらには圧縮に対する抵抗力がないうえ、たわみが出ることや小屋組みの形状が決まらないという問題があるため、上記のような部材を用いるのが好ましい。
【００２７】
タイバー４の取り付け位置は、軒に近いほど梁の曲げモーメントを小さくする効果があるが、タイバーの長さが長くなりすぎて現場での取り扱いが困難になる。また、使用可能な屋内空間の高さを制約してしまう。一方、タイバーの取り付け位置が棟に近すぎると、構造的効果が小さくなる。したがって、タイバー４の両端部をそれぞれ、棟と軒との間の長さにおいて、棟から１／４〜３／４程度の位置に取り付けるのが望ましい。
【００２８】
タイバー４の両端部はそれぞれ、梁２，２の軒部近傍のフランジにＴ字状の接合部材１７を介して高力ボルトで接合される。すなわち、接合部材１７の突出部が背中合わせのリップ付き軽量溝形鋼の間に挿入されてボルト接合されるとともに、接合部材１７のフランジ部が梁２のフランジにボルト接合される。タイバー４が取り付く梁２のフランジの内側には、補強のためにＬ形の補強部材１８がボルトにより取り付けられる。
【００２９】
図８は、つなぎ材接合部およびブレース接合部の詳細図である。柱１および梁２のウェブにはそれぞれ所定間隔でＬ形の接合部材１９が高力ボルトにより取り付けられている。接合部材１９の板厚は柱１および梁２のウェブの板厚よりも厚く設定され、ウェブの全高さに渡って両側から接合部材１９，１９によって挟み込まれるので、柱１および梁２のフランジが固定されていなくとも、横座屈を防止することができる。
【００３０】
つなぎ材５Ａ〜５Ｄおよびブレース６，７は、小径の鋼管の両端部を扁平に潰して穴を明け、これを２本中央部においてピン２０で結合したものであって、通常の枠組み足場のブレースと同様のものである。したがって、足場用の規格品をこれらつなぎ材５Ａ〜５Ｄおよびブレース６，７に用いると、コストを大幅に低減することができる。このようなつなぎ材５Ａ〜５Ｄおよびブレース６，７は、軽量のため一人で簡単に持ち運びができ、施工が簡単である。さらに、ターンバックル付き丸鋼ブレースのように長さを現場で調整する必要がなく、つなぎ材５Ａ〜５Ｄおよびブレース６，７の所定の穴にボルト接合するだけで上屋全体の形状が自動的に決まっていく。
つなぎ材５Ａ〜５Ｄは、ボルトにより接合部材１９に取り付けられ、桁ブレース６および屋根ブレース７はそれぞれ、柱１および梁２の屋内側のフランジに明けられた穴に直接ボルトにより取り付けられる。
【００３１】
図９は、シート取付部の詳細図である。図８および図９に示すように、柱１および梁２の屋外側のフランジには、両端部に「Ｃ」字状のシート固定部２１ａを有するシートガイド２１がガイド固定ボルト２２により固定されている。単位フレームＦ間の間隔がシート２３の幅と同程度に設定されているので、シート２３の縁をロープ等で補強して挿入部２３ａとし、シート２３の挿入部２３ａをシートガイド２１のシート固定部２１ａに差し込むだけで屋根と壁を完成することができる。
【００３２】
【発明の効果】
以上説明したように、本発明の仮設上屋によれば、製作コストが安価でかつ容易に施工することができるとともに、内部空間を広くすることができる。
【図面の簡単な説明】
【図１】本発明の実施の形態に係る仮設上屋の全体構成を示す斜視図である。
【図２】単位フレームを示す正面図である。
【図３】本発明の実施の形態に係る仮設上屋を示す側面図である。
【図４】本発明の実施の形態に係る仮設上屋を示す平面図である。
【図５】軒部および方杖接合部の詳細図である。
【図６】棟部の詳細図である。
【図７】タイバー接合部の詳細図である。
【図８】つなぎ材接合部およびブレース接合部の詳細図である。
【図９】シート取付部の詳細図である。
【符号の説明】
Ｆ      単位フレーム
１      柱
２      梁
３      方杖
４      タイバー
５Ａ    柱つなぎ材
５Ｂ    軒つなぎ材
５Ｃ    屋根つなぎ材
５Ｄ    棟つなぎ材
６      桁ブレース
７      屋根ブレース
８      スプライスプレート
９      スプライスプレート
１１    土台
１２    接合部材
１３    綴り材
１４，１４Ａ    接合部材
１５    補強部材
１６    綴り材
１７    接合部材
１８    補強部材
１９    接合部材
２０    ピン
２１    シートガイド
２１ａ  シート固定部
２２    ガイド固定ボルト
２３    シート
２３ａ  挿入部
【図１】
0004153148.tif 000002
【図２】
0004153148.tif 000003
【図３】
0004153148.tif 000004
【図４】
0004153148.tif 000005
【図５】
0004153148.tif 000006
【図６】
0004153148.tif 000007
【図７】
0004153148.tif 000008
【図８】
0004153148.tif 000009
【図９】
0004153148.tif 000010